(57)【要約】【課題】  鳥害防止効果を大きくとることができるとともに、電線に対する取付け作業および保守点検作業が容易となり、かつ構造も簡単で製造が容易になるとともにコストダウンを図ることができる防護管を提供すること。【解決手段】  円筒形状の中空の本体と、９０度以上の離隔角度で本体表面から外側に突き出した少なくとも２つの平板状のひれ部を有する、防護管【選択図】  図１
2008211954.tif 000002
【特許請求の範囲】
【請求項１】
円筒形状の中空の本体と、９０度以上の離隔角度で本体表面から外側に突き出した少なくとも２つの平板状のひれ部を有する、防護管。
【請求項２】
ひれ部の数が２つであり、離隔角度が１８０度である、請求項１記載の防護管。
【請求項３】
ひれ部の数が３つであり、離隔角度が１２０度である、請求項１記載の防護管。
【請求項４】
ひれ部の高さが約１ｃｍから約１０ｃｍの間である、請求項１から３のいずれか１項記載の防護管。
【請求項５】
ひれ部の厚さが約１ｍｍから約１０ｍｍの間である、請求項１から４のいずれか１項記載の防護管。
【請求項６】
ひれ部が円筒形状の中空の本体の長さ方向の全体に渡って平行に伸びる、請求項１から５のいずれか１項記載の防護管。
【請求項７】
ひれ部が円筒形状の中空の本体の長さ方向の全体に渡ってスパイラル状に伸びる、請求項１から５のいずれか１項記載の防護管。
【請求項８】
円筒形状の中空の本体が咬合部分を有し、該咬合部分が分離可能である、請求項１から７のいずれか１項記載の防護管。
【発明の詳細な説明】
【技術分野】
【０００１】
本発明は、電線などのワイヤー状の部材に被せて、鳥害および雪害などを防止するための防護管に関する。
【背景技術】
【０００２】
一部の地域において、夕方になると鳥が大挙して飛来し電線に止まり、集団で鳴き、騒音に悩まされるという被害が発生している。また、電線に多数の鳥が止まると、鳴き声だけでなく、多量の糞を道路上に落して道路を汚し美観を損ねるばかりか、糞がほこりとなって舞い上がり人が吸い疾病の原因にもなっている。
【０００３】
そこで、これらの鳥害を防止するため、電線に被せて鳥が電線に止まらなくする鳥害用防護管が使用されている。
【０００４】
従来、鳥害用防護管としては、特許文献１に開示されるように、鳥が止まるとその重さで防護管が回転し驚いて鳥が飛び去るものや、特許文献２に開示されるように防護管にワイヤを張設して、そのワイヤを鳥が嫌うことから鳥が止まらなくなるものがある。また、特許文献３に開示されるように、電線に、鳥が嫌う粘着剤を塗布したスパイラルロッドを螺旋状に装着して、鳥が電線に近付かないようにすることも行われている。
【特許文献１】特開平１０−１７９００７号公報
【特許文献２】特開２０００−１３４７７７号公報
【特許文献３】特開２００２−１４２６５３号公報
【発明の開示】
【発明が解決しようとする課題】
【０００５】
しかし、防護管の回転を利用するものは、鳥が止まってもバランスがとれて防護管が回転しないことが多く、鳥害防止の効果を多く期待できないという問題点があった。また、防護管にワイヤを張設する方法では、ワイヤを張設するために複数の支持杆を防護菅に立てなければならないので構造が複雑になり、製造が面倒であるとともにコスト高になるという問題点があった。さらに、防護管にワイヤを張設する方法では、そのワイヤが常に鳥が止まる電線の上側に位置しなければならないので、電線に対して防護管を固定する必要があり、電線に対する防護管の取付け作業が面倒になるという問題点もあった。さらに、粘着剤を塗布したスパイラルロッドを電線に装着する方法では、粘着剤が常に風雨に晒されるため寿命が短く、すぐに効果が薄れるとともに、粘着剤の粘性が失われたときのスパイラルロッドの交換作業が面倒で、保守点検作業に手間がかかるという問題点があった。
【０００６】
本発明は上記の点に鑑みなされたもので、鳥害防止効果を大きくとることができるとともに、電線に対する取付け作業および保守点検作業が容易となり、かつ構造も簡単で製造が容易になるとともにコストダウンを図ることができる鳥害用防護管を提供することを目的とする。
【課題を解決するための手段】
【０００７】
本発明は、円筒形状の中空の本体と、９０度以上の離隔角度で本体表面から外側に突き出した少なくとも２つの平板状のひれ部を有する、防護管に関する。
円筒形状の中空の本体は、保護すべき電線などのワイヤー状部材をその内部に収容することのできる内径を有する中空管である。防護管の内径は、ワイヤー状部材の周囲を容易に回転できるように設定される。一般的にはワイヤー状部材の外径のよりも１ｃｍから５ｃｍ程度大きく設定される。
離隔角度とは、異なるひれ部がなす角度をいう。本発明の防護管においては、９０度以上の離隔角度を有する１組のひれ部が形成されることが必要である。好ましくは、離隔角度は約１２０度以上である。
平板状のひれ部とは、長さ方向に垂直な方向での断面が概略長方形である部分をいう。
ひれ部の数は少なくとも２つであり、好ましくは２個又は３個である。
本発明の好ましい態様では、ひれ部の数が２つであり、離隔角度が１２０度以上、最も好ましくは１８０度である。
また、異なる好ましい態様では、ひれ部の数が３つであり、離隔角度が１２０度である。
ひれの数が４以上の場合は、それぞれのひれの間の離隔角度が等しいなるよう、等間隔に放れ部が設けられることが好ましい。
【０００８】
ひれ部の高さは一般的には約１ｃｍから約１０ｃｍの間であり、好ましくは約３ｃｍから約１０ｃｍ、最も好ましくは約５ｃｍから１０ｃｍである。防護管を鳥が握持できない程度に高いことが必要である。あまりに低いと防護管の上に鳥が留まることができるので好ましくない。最適な長さは対象とされる鳥の種類によって異なる。椋鳥などの小型の鳥を対象とする場合には約５ｃｍ程度で十分であると考えられるが、カラスなどを対象とする場合には１０ｃｍ程度であることが好ましい。
また、ひれ部の厚さは一般に約１ｍｍから約１０ｍｍの間であり、好ましくは約１ｍｍから約７ｍｍ、最も好ましくは約１ｍｍから約５ｍｍの間である。
ひれ部が円筒形状の中空の本体の長さ方向の全体に渡って平行に伸びることもできるし、また異なる態様ではひれ部は円筒形状の中空の本体の長さ方向の全体に渡ってスパイラル状に伸びることもできる。
好ましい態様では、円筒形状の中空の本体が咬合部分を有し、該咬合部分が分離可能である。たとえば、蝶番などを設け、本体を２つの半円柱体にして分離または広げることが可能である。そのようにすれば、本体を広げて既設のワイヤー状部材をその内部に収容することができるので、既設の電線などに容易に本発明の防護管を設置することができる。
【発明の効果】
【０００９】
本発明の防護管を電線などに対して設置すれば、その上に鳥などが留まることができない。また、防護管の上に積もった雪なども自動的に落下するし、大量に積もった場合でもその除去が容易となる。
本発明の防護管はワイヤー状部材だけではなく、鉄塔の鉄骨、マンションなどの非常階段や水タンク周りの鉄骨構造物などに敷設することもできる。
【発明を実施するための最良の形態】
【００１０】
本発明の好ましい実施態様について、図を参照しつつ説明する。
図１には、ひれ部を２つ有する態様が示される。第１のひれ部２と第２のひれ部２’との為す角度θが離隔角度であり、図１の場合は１８０度である。
本体１０の中には電線などのワイヤー状部材が収納され、本発明の防護管１０はワイヤー状部材の周囲を回転可能とされる。ひれ部２および２’は、鳥がその足で握持できない程度に長いことが必要である。鳥が防護管の上に留まろうとしても、防護管をつかむことができず、また防護管は鳥の体重のため回転するので、鳥は留まることはできない。またひれ部の表面は平坦であることが好ましい。さらには、表面は滑りやすいことがより好ましい。
【００１１】
図２には、ひれ部を３つ有する態様が示される。それぞれのひれ部２と本体１との結合部分から本体の円柱部分の中心軸に垂直に降ろされた線分を架空線として点線で示す。それぞれの線分の為す角度θ、θ１、およびθ２が離隔角度であり、図２の場合はそれぞれ１２０度である。図２に示す態様においては、図１に示す態様に比較してひれ部が若干短くても鳥は留まることができなくなる。
ひれ部の数は所望によりさらに多くすることができるが、一般的には３個あれば十分である。  
【００１２】
図３には、円筒形状の中空の本体が咬合部分を有し、その表面上の長さ方向の直線を中心として分離可能である態様の図を示す。防護管は咬合部分５および５’で分離可能であり、表面上の長さ方向に平行な直線に沿って設けられた蝶番などの結合部分４を中心として拡がることができる。その後ワイヤー状部材２０をその内部に収容し、咬合部分５および５’を再度咬合して固定してワイヤー状部材を本発明の防護管内部に設置することができる。この方法によれば、既設のワイヤー状部材に簡単に本発明の防護管を設置することができる。なお、咬合方法としては本体を結合することができる任意の方法が使用できる。凹部と凸部を勘合可能とすることができるし、またマジックテープなどを使用することもできる。
【００１３】
ひれ部２は、円筒形状の中空の本体１の長さ方向の全体に渡って平行に伸びることができる（図４）し、またスパイラル状に伸びることもできる（図５）。電線上の積雪防止のためにはスパイラル状にひれ部を設けることが好ましい。防護管上の加重が不均一になり、回転しやすくなるからである。
【００１４】
本発明の防護管は、任意の絶縁性材料から形成することができる。軽量化の観点から合成樹脂が好ましく使用される。たとえば、ポリエチレン、ポリプロピレン、ポリブチレン、ポリスチレンなどのポリオレフィン樹脂、アクリル樹脂、ウレタン樹脂、エポキシ樹脂、ＰＥＴなどのポリエステル樹脂、ＥＰＤＭ等のゴム系樹脂、ＡＢＳなどの複合樹脂、塩化ビニル樹脂などの塩素化樹脂などが使用できる。また、ワイヤー状部材との摩擦を少なくするためにはたとえば、ポリテトラフルオロエチレン樹脂（ＰＴＦＥ）、テトラフルオロエチレンパーフルオロアルキルビニルエーテルコポリマー（ＰＦＡ）、パーフルオロエチレンープロピレンコポリマー（ＦＥＰ）、エチレン−テトラフルオロエチレンコポリマー（ＥＴＦＥ）、ポリクロロトリフルオロエチレン（ＰＣＴＦＥ）、エチレン−クロロトリフルオロエチレンコポリマー（ＥＣＴＦＥ）、ポリビニリデンフルオライド（ＰＶＤＦ）、ポリビニルフルオライド（ＰＶＦ）などの他、フッ素化アクリル樹脂およびフッ素化ウレタン樹脂などのようなフッ素化樹脂が好適に使用される。また、耐候性の点からもフッ素化樹脂は好ましい。
【００１５】
本発明の防護管は、所望により多層管とすることができる。たとえば、内側のみをフッ素化樹脂とすることもできる。また、管の内側に凹凸を設け、管とワイヤー状部材との接触面積を低下させることにより、さらに防護管を回転しやすくすることもできる。
【００１６】
また鳥への威嚇のためにガラスビーズ、ガラス粉、金属フレークなどの光反射性物質を加えることもできる。さらに、軽量化のために発泡樹脂を使用すること、中空のガラカビーズや球状プラスチックを使用することもできる。さらに紫外線吸収剤、顔料、スリップ材、ワックス、撥水剤、鳥忌避剤など公知の添加剤を所望により加えることができる。
【００１７】
本発明の製造に際しては、任意の公知の方法を使用することができるが、好適には射出成形または押出成形法が使用される。
また、必要に応じ、耐候性をさらに向上させるため、または美感向上のために本発明の防護管の外側を金属製の箔、金属製の薄板などで覆ったり、または金属メッキすることもできる。
【００１８】
本発明の防護管の長さは任意であり、電信柱と電信柱の間、または鉄塔と鉄塔との間全体に渡ってもよい。しかし、好適には容易な敷設のためには、約２ｍ以下であることが望ましい。また回転のしやすさも考慮すれば、約５０ｃｍ程度が好ましい。    
【図面の簡単な説明】
【００１９】
【図１】２つのひれ部を有する本発明の防護管の実施態様を示す図である。
【図２】３つのひれ部を有する本発明の防護管の実施態様を示す図である。
【図３】本発明の防護管を咬合部分から広げた状態を示す図である。
【図４】ひれ部が円筒形状の中空の本体の長さ方向の全体に渡って平行に伸びる実施態様を示す図である。
【図５】ひれ部が円筒形状の中空の本体の長さ方向の全体に渡ってスパイラル状に伸びる実施態様を示す図である。
【符号の説明】
【００２０】
１：防護管の本体
２，２’：ひれ部
５、５’：咬合部分
１０：防護管
２０：ワイヤー状部材
【図１】
2008211954.tif 000003
【図２】
2008211954.tif 000004
【図３】
2008211954.tif 000005
【図４】
2008211954.tif 000006
【図５】
2008211954.tif 000007